(57)【要約】【課題】記録部に至る液体の流路抵抗を小さく抑制し、液体収容体の配置上の制約を抑制する記録装置を提供する。【解決手段】供給されるインクを用紙Ｐへ噴射して記録を行う液体噴射ヘッド２２と、インクを収容するインクタンク５０と、インクが貯留される貯留部を有さない均一な流路を形成し、該流路によりインクタンク５０と液体噴射ヘッド２２との間を接続するインク供給チューブ５２と、を備える。【選択図】図５
2013123847.tif 000002
【特許請求の範囲】
【請求項１】
供給される液体を被記録媒体へ噴射して記録を行う記録ヘッドと、
前記液体を収容する液体収容体と、
前記液体が貯留される貯留部を有さない均一な流路を形成し、該流路により前記液体収容体と前記記録ヘッドとの間を接続する流路形成部材と、
を備える液体供給システム。
【請求項２】
請求項１に記載の液体供給システムにおいて、
前記流路形成部材はパイプ部材であることを特徴とする液体供給システム。
【請求項３】
請求項１または２に記載の液体供給システムにおいて、
前記流路形成部材における前記記録ヘッドとの接続部には、前記液体の流路が直線状に形成された流路中継部材が設けられていることを特徴とする液体供給システム。
【請求項４】
請求項１ないし３のいずれか一項に記載の液体供給システムにおいて、
前記液体収容体は、前記液体を水頭差による圧力で前記記録ヘッドへ供給可能な位置に配設されていることを特徴とする液体供給システム。
【請求項５】
請求項１ないし４のいずれか一項に記載の液体供給システムにおいて、
前記記録ヘッドは筐体によって囲まれ、
前記液体収容体は、前記筐体外に設けられることを特徴とする液体供給システム。
【発明の詳細な説明】
【技術分野】
【０００１】
本発明は、液体を被記録媒体に噴射して記録を行う記録装置に備えられた液体供給システムに関する。
【背景技術】
【０００２】
従来から、被記録媒体の一種としての用紙に対して、例えば記録ヘッドから液体の一種としてのインクを噴射して文字や図形を含む画像を記録する記録装置が実用化されている。この種の記録装置は、インクを収容したインクカートリッジ（液体収容体）から、このインクカートリッジに挿入された供給針を通して、該インクを記録ヘッドに供給する。そして、供給されたインクを記録ヘッドから用紙に噴射することで記録を行うとともに、画像の記録に伴ってインクを消費する。従って、この種の記録装置は液体消費装置でもある。
【０００３】
このような液体消費装置としての記録装置において比較的大量の印刷を行う場合に、記録ヘッドに連続的に安定して消費されるインクを供給するため、インクの収容量がインクカートリッジよりも大きい外部タンク（液体収容体）からインクを供給する液体供給システムが提案されている。例えば、特許文献１には、インクカートリッジの装着部に、インクを供給するインク供給チューブが連結されたアタッチメントを装着する。このアタッチメントの装着によって、記録装置の装置本体外に備えた大容量の外部タンクからインク供給チューブによって供給されるインクが、装着されたアタッチメントを介して装置本体内の記録ヘッドへ供給される液体供給システム（装置）が開示されている。
【先行技術文献】
【特許文献】
【０００４】
【特許文献１】特開２００６−２１２８４５号公報
【発明の概要】
【発明が解決しようとする課題】
【０００５】
しかしながら、特許文献１に開示されているように、装置本体外に設けられた外部タンクから装置本体内に備えた記録ヘッドにインクを供給する際には、外部タンク内のインクを加圧手段によって加圧して、該インクを記録装置内のサブタンクへ供給する。すなわち、供給されるインクをサブタンクに貯留することによって、例えば外部タンクからのインクの供給量に変動が生じても、この変動を吸収し、記録ヘッドに対してインクを安定して供給する構成とされている。
【０００６】
従って、このように外部タンクから記録ヘッドにインクを供給する液体供給システムの場合は、サブタンクを設ける必要がある。このため、記録装置の装置本体内において、サブタンクを設けるためのスペースを確保する必要があり、装置が大型化する課題がある。
【０００７】
本発明は、上記課題の少なくとも一部を解決するためになされたものであり、その主な目的は、記録装置の大型化を抑制する液体供給システムを提供することにある。
【課題を解決するための手段】
【０００８】
上記目的を達成するために、本発明の液体供給システムは、供給される液体を被記録媒体へ噴射して記録を行う記録ヘッドと、前記液体を収容する液体収容体と、前記液体が貯留される貯留部を有さない均一な流路を形成し、該流路により前記液体収容体と前記記録ヘッドとの間を接続する流路形成部材と、を備える。
【０００９】
この構成によれば、流路形成部材には液体の貯留部が形成されないので、液体供給システムの大型化が抑制される。従って、この液体供給システムを備えた記録装置も大型化が抑制される。
【００１０】
本発明の液体供給システムにおいて、前記流路形成部材はパイプ部材である。
この構成によれば、流路断面積が一定の均一な流路が容易に得られるので、流路形成部材において液体を一定速度で安定して流動させることができる。
【００１１】
本発明の液体供給システムにおいて、前記流路形成部材における前記記録ヘッドとの接続部には、前記液体の流路が直線状に形成された流路中継部材が設けられている。
この構成によれば、液体の流路を小さな流路抵抗とすることができるので、流路形成部材と記録ヘッドとの間の接続部分において液体を安定して流動させることができる。
【００１２】
本発明の液体供給システムにおいて、前記液体収容体は、前記液体を水頭差による圧力で前記記録ヘッドへ供給可能な位置に配設されている。
この構成によれば、液体収容体の鉛直方向における配設位置によって水頭差を調節することで、記録ヘッドに対して液体を安定して供給することができる。
【００１３】
本発明の液体供給システムにおいて、前記記録ヘッドは筐体によって囲まれ、前記液体収容体は、前記筐体外に設けられる。
この構成によれば、液体を供給する液体収容体を配置場所や形成領域が制約されない筐体外で備えるので、水頭差によって液体を供給する液体収容体の配置上の制約を抑制することができる。
【図面の簡単な説明】
【００１４】
【図１】本発明にかかる実施形態の液体供給システムを備えたプリンターの斜視図。
【図２】実施形態のプリンターを装置ケースの一部を外した状態で見た斜視図。
【図３】実施形態のプリンターが備える液体噴射ヘッドに接続された流路アダプターの構成を示す斜視図。
【図４】本発明にかかる他の実施形態の液体供給システムを備えたプリンターの斜視図。
【図５】他の実施形態のプリンターを装置ケースの一部を外した状態で見た斜視図。
【図６】他の実施形態のプリンターが備える液体噴射ヘッドに接続された流路アダプターを示す斜視図。
【図７】他の実施形態のプリンターにおいて、液体噴射ヘッドに接続される流路アダプターの構成を示す分解斜視図。
【図８】変形例で、液体噴射ヘッドに接続される流路アダプターを示す斜視図。
【発明を実施するための形態】
【００１５】
本発明の液体供給システムを具体化した一実施形態として、記録ヘッドとしての液体噴射ヘッドから被記録媒体の一例である用紙に液体の一例であるインクを噴射して消費しつつ画像等を記録（印刷）する記録装置としてのインクジェット式プリンター（単に「プリンター」とも呼ぶ）について、図を参照して説明する。
【００１６】
まず、本実施形態のプリンター１１Ｂについて、図１〜図３を参照して説明する。図１に示すように、プリンター１１Ｂは、装置本体１２と、装置本体１２に対して反重力方向（上方向）に連結して搭載された画像読取装置としてのスキャナーユニット１３と、によって構成されている。装置本体１２は、複数の部材で構成された筐体としての装置ケース１４によって構成され、装置ケース１４によって囲むことで、用紙Ｐにインクを噴射して記録する記録部２０などを筐体内すなわち装置本体１２内に備える。
【００１７】
この装置ケース１４において、印刷された用紙Ｐの排出方向（図中白抜き矢印）となる前方向の上側には、プリンター１１Ｂを動作させる際にユーザーが操作する操作パネル１５が配置されている。操作パネル１５はメニュー画面等を表示するための表示部１５ａ（例えば液晶ディスプレイ）と、表示部１５ａの周囲に設けられた種々の操作ボタン１５ｂとを備えている。
【００１８】
また、装置ケース１４において、操作パネル１５の下側には装置ケース１４の一部を構成する筐体としての前面カバー１６が開閉可能に取り付けられている。前面カバー１６は、その下方に設けた図示しないヒンジなどの回転機構により前方に開く。なお、前面カバー１６には、前面カバー１６を開閉するときにユーザーが手をかけるための把持部１６ａが凹設されている。
【００１９】
プリンター１１Ｂは、前面カバー１６の下方に、装置本体１２から排出される用紙Ｐを装置本体１２外へ排出する排紙台１９が配設されている。さらに、排紙台１９の下側には、用紙Ｐを積層状態で載置する給紙カセット１８が備えられ、収容された積層最上位の用紙Ｐが一枚ずつ、装置本体１２内に形成された図示しない搬送経路に送り出されて記録部２０へ搬送される。なお、給紙カセット１８は、装置本体１２に対して挿抜可能であって、その前面側に給紙カセット１８を装置本体１２から抜き出す際にユーザーが手をかけるための庇状の把持部１８ａが形成され、装置本体１２から前方への給紙カセット１８の抜き出しが容易とされている。また、装置本体１２の後側において用紙Ｐを載置する載置トレイ１７が設けられ、載置トレイ１７上に載置された用紙Ｐが、同じく装置本体１２内に形成された図示しない搬送経路に送り出されて記録部２０へ搬送される。
【００２０】
また、プリンター１１Ｂでは、装置本体１２に対して前方から見て左側に、記録部２０が消費するインクを収容する４つのインクカートリッジ５５が、前面カバー１６を開けた状態で前方から挿入されて装置本体１２内に備えられる。本実施形態では、各インクカートリッジ５５には、４種類のインク（ここではシアンインク、マゼンタインク、イエローインク、黒インクの各インク）がそれぞれ収容される。
【００２１】
プリンター１１Ｂでは、各インクカートリッジ５５から各インクを記録部２０へ供給する液体供給システムが備えられ、記録部２０において各インクが消費されるインクの供給系が構成されている。この液体供給システムについて、図２を参照して説明する。
【００２２】
図２に示すように、プリンター１１Ｂには、案内部３１ａ、カートリッジホルダー３１、およびカートリッジホルダー３１の後側に配設された供給針３５を有する液体収容体装着部３０と、各インクカートリッジ５５の各インクが流動する流路形成部４０と、を備えている。カートリッジホルダー３１には、シアンインク、マゼンタインク、イエローインク、黒インクの各インクがそれぞれ収容されたインクカートリッジ５５Ｃ，５５Ｍ，５５Ｙ，５５Ｋ（これらを区別せず総称する場合は「インクカートリッジ５５」と呼ぶ）が装着される。そして、各インクカートリッジ５５がカートリッジホルダー３１に装着されることによって、インクカートリッジ５５に収容された各インクが供給針３５を介して流路形成部４０へ流入する。さらに流路形成部４０へ流入した各インクは、流路形成部４０に設けられたインクの送出機構（例えば流路ポンプ）によって、流路形成部４０に設けられた開口部（不図示）から開口部に接続された４本の可撓性チューブからなるインク供給チューブ４４へ供給される。
【００２３】
なお、プリンター１１Ｂでは、インクカートリッジ５５からインクが供給される場合に、インクカートリッジ５５に備えられた記憶素子（不図示）との間で所定の情報データ（例えばインクカートリッジの識別やインクの残量などのデータ）の通信を行う。すなわち、本実施形態では図２に示すように、カートリッジホルダー３１の上部において、各インクカートリッジ５５との間で情報データを通信する電気端子３２Ｃ，３２Ｍ，３２Ｙ，３２Ｋが設けられている。そして、各インクカートリッジ５５が装着されると、この電気端子３２Ｃ，３２Ｍ，３２Ｙ，３２Ｋに対応して設けられた各電気端子５６を介して各インクカートリッジ５５が備える記憶素子との間で所定の情報データが通信される。この通信によってプリンター１１Ｂでは、記録部２０における用紙Ｐへの印刷動作が実行されたり、各インクカートリッジ５５について記憶素子に記憶された所定の情報データが更新されたりする。
【００２４】
さて、インク供給チューブ４４へ供給された各インクは、インク供給チューブ４４の流路形成部４０との接続側とは反対側の端部に接続されて設けられた流路中継部材としての流路アダプター４６（図３参照）を介して、記録部２０に供給される。そして、記録部２０へ供給された各インクは液体噴射ヘッド２２へ供給され、液体噴射ヘッド２２において形成された貯留部（サブタンク）を有さない流路に沿ってノズルへ導かれ、ノズルから用紙Ｐに噴射されて、画像等が用紙Ｐに印刷される。
【００２５】
すなわち、装置ケース１４内において、用紙Ｐの排出方向と交差する幅方向（左右方向）に沿って延びるガイド軸２３が架設されている。また、ガイド軸２３には左右方向に沿って移動可能な状態でキャリッジ２１が支持されている。キャリッジ２１は、図示しないキャリッジモーターの駆動に伴って移動する不図示のベルトにその一部が固定され、ベルトの移動とともに、記録時に搬送される用紙Ｐの搬送方向と交差する走査方向つまり用紙Ｐの幅方向（左右方向）に沿って往復移動する。キャリッジ２１には、用紙Ｐに対してインクを噴射するノズル（不図示）をその下面側に有する液体噴射ヘッド２２が保持されている。そして、キャリッジ２１を移動させることで液体噴射ヘッド２２を移動させるとともに、移動する液体噴射ヘッド２２のノズルからインクを噴射させて用紙Ｐに画像等を印刷（記録）する。なお、本実施形態では、キャリッジ２１および液体噴射ヘッド２２が記録部２０に相当する。
【００２６】
本実施形態では、インク供給チューブ４４は流路形成部材として機能する。すなわち、
インク供給チューブ４４は、インクカートリッジ５５から流路形成部４０を介して供給されるインクを、記録部２０における液体噴射ヘッド２２まで流れる流路を形成する。そして、インク供給チューブ４４は４本のパイプ部材（ここでは可撓性チューブ）が用いられる。この結果、各インクが貯留することなくほぼ一定速度で流動可能な均一な流路を形成する。ここでは、パイプ部材として、内径が流路形成部４０の開口部と流路アダプター４６との間に渡って同径の丸パイプが用いられる。もとより、インク供給チューブ４４は、楕円パイプや角パイプなど丸パイプ以外の形状のパイプ部材であっても採用できる。
【００２７】
プリンター１１Ｂでは、装置本体１２に対して左側に各インクカートリッジ５５が配設されたことによって、インク供給チューブ４４は装置本体１２内において左側を内周とする湾曲部を形成するように配設される。そして、記録部２０に備えられた流路アダプター４６に対して右方向から左方向へ流れるようにインクを供給する。流路アダプター４６では、インクの流れ方向を液体噴射ヘッド２２に導くように変更する。この流路アダプター４６について、図３を参照して説明する。なお、図３では、説明の簡略化のため、記録部２０を構成するキャリッジ２１については図示を省略している。
【００２８】
図３に示すように、インク供給チューブ４４の端部に設けられた流路アダプター４６は、記録部２０における液体噴射ヘッド２２に接続される。本実施形態では、液体噴射ヘッド２２は、インクを噴射するノズルが形成されたヘッド部２２ａと、このヘッド部２２ａを下側に支持するヘッド支持部２２ｂと、を有し、流路アダプター４６は、ヘッド支持部２２ｂに接続される。そして、流路アダプター４６は、インク供給チューブ４４から左方向へ向かって流れる各インクを、液体噴射ヘッド２２の上方から下方向へ向かって流れるように中継する流路中継部材として機能する。
【００２９】
すなわち、流路アダプター４６は、上から見て中央付近に屈曲部を有し、この屈曲部を基端部として、前方向へ延設された延設部位４６ａと、右方向へ延設された延設部位４６ｂと、が形成されている。そして、延設部位４６ａの左側面と延設部位４６ｂの後側面とにシート４８がそれぞれ貼付され、延設部位４６ａおよび延設部位４６ｂにおいて、４つのインク流路が上下方向に積層された状態で形成されている。そして、延設部位４６ａには、基端部と反対の先端部において、インク供給チューブ４４の他端に設けられたチューブ接続端子４４Ｓが右方向から取り付けられ、インク供給チューブ４４との間でインクの流路が接続される流入側端子４５が設けられている。一方、延設部位４６ｂには、基端部と反対の先端部において、ヘッド支持部２２ｂの上面２２ｃに設けられたインクの流入口２２Ｈに上方から着脱可能に取り付けられ、流路アダプター４６と液体噴射ヘッド２２との間でインクの流路が上下方向に接続される流出側端子４７が設けられている。この結果、流路アダプター４６は、流入側端子４５から流出側端子４７に至るまでの間において、各インクの流れを左方向から下方向へ導く４つのインク流路が形成される。
【００３０】
このような構成を有するインクカートリッジ５５からの液体供給システムについて、その作用を説明する。
図２に示すように、液体収容体装着部３０に装着されたインクカートリッジ５５から、流路形成部４０を介してインク供給チューブ４４に供給されたインクは、サブタンクに貯留されることなくほぼ一定速度で安定して記録部２０へ供給される。このとき、図３に示すように、記録部２０に取り付けられた流路アダプター４６においても、インク貯留部が設けられることなく、インク供給チューブ４４と液体噴射ヘッド２２との間でインクがほぼ一定速度で流動するように流路を中継する。
【００３１】
上記実施形態によれば、以下のような効果を得ることができる。
（１）流路形成部材であるインク供給チューブ４４においてインクの貯留部が形成されないので、液体供給システムの大型化が抑制される。従って、この液体供給システムを備えたプリンター１１Ｂも大型化が抑制される。
【００３２】
（２）インク供給チューブ４４はパイプ部材であるので、流路断面積が一定の均一なインクの流路が容易に得られる。従って、各インクをほぼ一定速度で安定して流動させることができる。
【００３３】
このようにインクの流路が形成された流路アダプター４６では、インク供給チューブ４４から供給される各インクが屈曲して流れる箇所が、少なくとも流入側端子４５と延設部位４６ａとの間、および延設部位４６ａと延設部位４６ｂとの間に存在する。従って、流路アダプター４６を流れるインクの流路抵抗は屈曲部において大きくなる。このため、例えば、水頭差による圧力を用いてインクを供給する場合、大きくなった流路抵抗に応じてインクを加圧するため、流路抵抗のより小さい流路アダプターが設けられた流路形成部材を有する液体供給システムを備えることが好ましい。
【００３４】
そこで、他の実施形態として、水頭差によってインクを供給する液体供給システムを備えたプリンター１１について、図４〜図７を参照して説明する。なお、以下の説明において、上記実施形態のプリンター１１Ｂと同じ構成要素については同符号を付し、それらについての説明は省略する。
【００３５】
図４に示すように、プリンター１１は、装置本体１２に対して前方から見て右側に、記録部２０が消費するインクを収容するインクタンク５０を、筐体外つまり装置本体１２外に配設された液体収容体（外部タンク）として備えている。インクタンク５０は本実施形態では４種類のインク（シアンインク、マゼンタインク、イエローインク、黒インクの各色インク）を収容する。そして、４本の可撓性チューブからなるインク供給チューブ５２が、その一端に設けられた接続端子５１を介してインクタンク５０と接続されるとともに、装置ケース１４に設けられた開口部１４ｃから装置本体１２内へ各インクをそれぞれ供給する。本実施形態では、開口部１４ｃは、装置本体１２の右側前方において、インク供給チューブ５２が通過可能な貫通孔として装置ケース１４に形成されて設けられている。
【００３６】
プリンター１１では、インク供給チューブ５２によってインクタンク５０から装置本体１２内へ供給された各インクが、記録部２０へ供給される液体供給システムが構成されている。この液体供給システムについて、図５を参照して説明する。
【００３７】
図５に示すように、インクタンク５０からインク供給チューブ５２へ供給された各インクは、インクタンク５０との接続側の一端とは反対側のインク供給チューブ５２の他端に接続されて設けられた流路アダプター５３（図６参照）を介して、記録部２０に供給される。そして、記録部２０へ供給された各インクは、液体噴射ヘッド２２に流入し、液体噴射ヘッド２２において形成された貯留部（サブタンク）を有さない流路に沿ってノズルへ導かれ、ノズルから用紙Ｐに噴射されて、画像等が用紙Ｐに印刷される。
【００３８】
このため、記録部２０にインク供給チューブ５２を介してインクタンク５０からインクを供給する場合は、インクタンク５０と電気端子３２Ｃ，３２Ｍ，３２Ｙ，３２Ｋとの間での通信が行われないために、記録部２０の印刷動作が実行されない場合がある。あるいは、インクタンク５０は収容されるインク量がインクカートリッジ５５に比べて多いことから、例えばインクタンク５０内にインクが残存していても情報データがインク残量ゼロとなって印刷動作が実行されない場合もある。
【００３９】
そこで、本実施形態では、図５に示すように、電気端子３２Ｃ，３２Ｍ，３２Ｙ，３２Ｋとの間での通信を行い、所定の情報データを修正したりリセットしたりしてインクタンク５０からインクを供給する状態に合致するように情報データを更新するダミーカセット６０を液体収容体装着部３０に装着する。すなわち、ダミーカセット６０は、各インクカートリッジ５５に替えてカートリッジホルダー３１に装着可能なカセット本体６１を有している。そして、カセット本体６１において上面に設けられた各電気端子６２Ｃ，６２Ｍ，６２Ｙ，６２Ｋが、装着状態において電気端子３２Ｃ，３２Ｍ，３２Ｙ，３２Ｋとの間でデータ通信可能とされる。この通信可能とされた状態において、例えば、カセット本体６１の前面に設けられたボタン６３の操作によって、インクタンク５０からのインクの供給状態に合致するように情報データが適切に更新される。この結果、プリンター１１において、記録部２０における印刷動作が実行される。なお、ダミーカセット６０は、各インクカートリッジ５５Ｃ，５５Ｍ，５５Ｙ，５５Ｋに対応して複数（ここでは４個）用意し、カートリッジホルダー３１にそれぞれ装着されるようにしてもよい。
【００４０】
次に、流路アダプター５３について、図６および図７を参照して説明する。なお、図６および図７では、説明の簡略化のため、記録部２０を構成するキャリッジ２１については図示を省略している。
【００４１】
図６および図７に示すように、インク供給チューブ５２の端部に設けられた流路アダプター５３は、記録部２０における液体噴射ヘッド２２（ヘッド支持部２２ｂ）に接続される。流路アダプター５３は、インク供給チューブ５２から右方向へ向かって流れる各インクが、液体噴射ヘッド２２の上方から下方向へ向かって流れるように中継する。
【００４２】
具体的には、流路アダプター５３は、前方から見て略Ｔ字形の基台部５４と、基台部５４の上下それぞれの方向に突出して設けられ左右方向に４個並んで形成されたパイプ形状部５３Ｐと、を有している。各パイプ形状部５３Ｐは、その上下方向の両端において開口するとともに、上下方向に貫通するインクの直線流路が形成されている。そして、基台部５４は、ねじなどの固定部材５４ａによって、その左右両端部においてヘッド支持部２２ｂの上面２２ｃに開口する流入口２２Ｈに着脱可能に固定され、流路アダプター５３と液体噴射ヘッド２２との間でのインクの流動が可能となるように接続される。また、パイプ形状部５３Ｐに対して、パイプ形状部５３Ｐが挿入されるようにインク供給チューブ５２を押し込むことで、インク供給チューブ５２と流路アダプター５３との間でインクの流動が可能となるように接続される。この結果、流路アダプター５３を介して、インク供給チューブ５２から液体噴射ヘッド２２へインクが流動して供給される。
【００４３】
このように、本実施形態では、インク供給チューブ５２が流路形成部材として機能する。すなわち、インク供給チューブ５２は、インクタンク５０から供給される各インクを、記録部２０における液体噴射ヘッド２２まで流れる流路を形成する。そして、インク供給チューブ５２は４本のパイプ部材（ここでは可撓性チューブ）が用いられ、各インクが貯留することなくほぼ一定速度で流動可能な均一な流路を形成する。ここでは、パイプ部材として、内径が流路形成部４０の開口部と流路アダプター４６との間に渡って同径の丸パイプが用いられる。もとより、インク供給チューブ５２は、楕円パイプや角パイプなど丸パイプ以外の形状のパイプ部材であっても採用できる。
【００４４】
なお、本実施形態では、装置本体１２に対して右側にインクタンク５０が配設されたことによって、インク供給チューブ５２は装置本体１２内において右側を内周とする湾曲部を形成するように配設される（図５参照）。従って、液体噴射ヘッド２２に接続されたインク供給チューブ５２は、左方向から液体噴射ヘッド２２にインクを供給し、流路アダプター５３との接続部においてインクの流れ方向を下方向に変えるように曲がり形状部５２ａが形成される。また、本実施形態では、流路アダプター４６と流路アダプター５３とは、同じ固定構造によって液体噴射ヘッド２２に対して着脱可能に接続される。
【００４５】
このような構成を有するインクタンク５０からの液体供給システムについて、その作用を説明する。図５に示すように、装置本体１２外（装置ケース１４外）に配設されたインクタンク５０から、インク供給チューブ５２を介して水頭差による圧力を利用して記録部２０へインクを供給する。このとき、記録部２０において、インク供給チューブ５２から液体噴射ヘッド２２へインクの流れを中継する流路アダプター５３は流路抵抗の小さい直線状の中継流路であるので、インクは、水頭差による圧力によってインク供給チューブ５２から流路アダプター５３を介して液体噴射ヘッド２２へ安定して流動する。
【００４６】
また、インクタンク５０からのインク供給系において、図６に示すように、インク供給チューブ５２の流路アダプター５３との接続部（曲がり形状部５２ａ）は液体噴射ヘッド２２の上方に位置する。従って、インク供給チューブ５２に形成される右側を内周とする湾曲部の曲率を、インクカートリッジ５５からのインク供給系におけるインク供給チューブ４４に形成される左側を内周とする湾曲部の曲率よりも大きくさせて配設することができる。
【００４７】
本実施形態によれば、以下のような効果を得ることができる。
（３）流路形成部材として機能するインク供給チューブ５２においてインクの貯留部が形成されないので、液体供給システムの大型化が抑制される。従って、この液体供給システムを備えたプリンター１１も大型化が抑制される。
【００４８】
（４）インク供給チューブ５２はパイプ部材であるので、流路断面積が一定の均一なインクの流路が容易に得られる。従って、インク供給チューブ５２において各インクをほぼ一定速度で安定して流動させることができる。
【００４９】
（５）流路アダプター５３はインクの流路が直線状に形成されているので、各インクの流路を小さな流路抵抗とすることができる。従って、インク供給チューブ５２と液体噴射ヘッド２２との間の接続部分において各インクを安定して流動させることができる。
【００５０】
（６）インクタンク５０は、各インクを水頭差による圧力で液体噴射ヘッド２２へ供給可能な位置に配設されているので、インクタンク５０の鉛直方向における配設位置によって水頭差を調節することで、液体噴射ヘッド２２に対して各インクを安定して供給することができる。
【００５１】
（７）インクタンク５０は、装置本体１２外に設けられるので、各インクを供給するインクタンク５０を配置場所や形成領域が制約されない装置ケース１４外で備える。従って、水頭差によって各インクを供給するインクタンク５０の配置上の制約を抑制することができる。また大容量のインクを収容するインクタンク５０が得られる。
【００５２】
（８）インクタンク５０からのインク供給系において、インク供給チューブ５２に形成される右側を内周とする湾曲部の曲率を大きくできるので、キャリッジ２１の左右方向の移動に対する負荷抵抗が小さくなるとともに、インク供給チューブ５２の耐久性が向上する。
【００５３】
なお、上記実施形態は以下のように変更してもよい。
・上記実施形態において、流路アダプター５３は、両端が開口する筒状のパイプ部材であってもよい。本変形例について、図８を参照して説明する。
【００５４】
図８に示すように、本変形例の流路アダプター５３は、円筒状のパイプ部材（４本）である。そしてその下端側が、液体噴射ヘッド２２の上面、つまりヘッド支持部２２ｂの上面２２ｃに開口する流入孔２２ｈに所定長さ打ち込みなどによって挿入されて固定されるとともに、下端側の開口がヘッド部２２ａに設けられた図示しないノズルに至るインクの流路と連通する。一方、その上端側にはインク供給チューブ５２が接続され、流路アダプター５３の上端側の開口がインク供給チューブ５２のインクの流路と連通する。
【００５５】
なお、本変形例では、流路アダプター５３は断面が円形となる円筒状のパイプ部材であるものとしたが、断面が円形に限らず三角形などの多角形や楕円形状のパイプ部材であってもよい。また、本変形例において、流路アダプター５３は、液体噴射ヘッド２２から抜き取りが可能な状態で固定されることが好ましい。
【００５６】
本変形例によれば、上記実施形態の効果（１）〜（８）に加えて以下の効果を奏する。
（９）繋ぎ目のないインクの直線流路が得られるので、流路抵抗が小さい流路アダプター５３を簡単な構成で設けることができる。
【００５７】
・上記実施形態において、インクタンク５０は水頭差以外の方法でインクを供給しても差し支えない。例えば、加圧手段を用いてインクタンク５０内を空気圧で加圧することによって、インクを加圧することによってインク供給チューブ５２へ送り出す方法などが採用可能である。
【００５８】
・上記実施形態において、インクタンク５０の配設位置は装置本体１２外に必ずしも限るものでない。例えば、装置本体１２内であってよい。あるいは、装置ケース１４の少なくとも一部がインクタンク５０として形成された構成であってもよい。
【００５９】
・上記実施形態において、流路アダプター５３は、液体噴射ヘッド２２に対して必ずしも着脱可能に接続されなくてもよい。例えば、上記実施形態において基台部５４はヘッド支持部２２ｂの流入口２２Ｈに打ち込まれたり接着されたりして、着脱できないように固定されてもよい。
【００６０】
・上記実施形態において、被記録媒体は用紙Ｐに限るものでなく、金属板、樹脂板、布などを材料とする板状部材であってもよい。すなわち、搬送可能であって、記録部２０が消費するインクによって記録可能な部材であれば、被記録媒体として採用できる。
【００６１】
・上記実施形態において、記録部２０は、キャリッジ２１に伴って液体噴射ヘッド２２が左右方向に移動するプリンターに限らず、例えば左右方向および前後方向への移動が可能なプリンターであってもよい。
【００６２】
・上記実施形態において、プリンター１１はスキャナーユニット１３を備えない装置であってもよいし、記録部２０とともにＦＡＸ装置やコピー装置などの機能を備えた複合機であってもよい。
【００６３】
・上記実施形態では、記録装置を、インクを噴射する液体噴射ヘッドを備えたインクジェット式のプリンター１１として具体化したが、インク以外の他の液体を噴射したり吐出したりする液体噴射装置として具体化してもよい。微小量の液滴を吐出させる液体噴射ヘッド等を備える各種の液体噴射装置を流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置がある。あるいは、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００６４】
１１，１１Ｂ…記録装置としてのプリンター、１４…筐体としての装置ケース、２０…記録部、３０…液体収容体装着部、４０…流路形成部、４４…流路形成部材としてのインク供給チューブ、５０…液体収容体としてのインクタンク、５２…流路形成部材としてのインク供給チューブ、５３…流路中継部材としての流路アダプター、５５…インクカートリッジ、Ｐ…被記録媒体としての用紙。
【図１】
2013123847.tif 000003
【図２】
2013123847.tif 000004
【図３】
2013123847.tif 000005
【図４】
2013123847.tif 000006
【図５】
2013123847.tif 000007
【図６】
2013123847.tif 000008
【図７】
2013123847.tif 000009
【図８】
2013123847.tif 000010